(57)【特許請求の範囲】
【請求項１】
前面開口の加熱室を有する本体と、
前記本体の前部に当該本体の下部に設けられた開閉機構部を介して開閉可能に取り付けられたドアと、
ドア開閉用のハンドルとを備え、
前記ドアは、少なくとも、骨格を成すドアフレームと、該ドアフレームの周縁を覆う樹脂製のドアカバーと、前面部を成す外ガラス板とで構成され、
前記ハンドルは、
前記ドアカバーの上面に前記ドアの幅方向に延びて設けられた板状の水平部と、
前記水平部のドア前面側の端部に斜め上方に延びて設けられた板状のツマミ部と、
前記ツマミ部の下部に前記水平部と直角をなして下方に延びて設けられた板状の垂下部と、
前記水平部の下面に設けられ、前記ドアカバーの上面に設けられた穴を貫通して前記ドアフレームに固定された板状の固定部と
で構成されていることを特徴とする加熱調理器。
【請求項２】
前記外ガラス板は、前記ハンドルの垂下部と前記ドアの下部に設けられた固定具によって固定されていることを特徴とする請求項１記載の加熱調理器。
【請求項３】
前記ハンドルのツマミ部の前記本体側の面に凹部を設けたことを特徴とする請求項１又は２記載の加熱調理器。
【請求項４】
前記ハンドルの垂下部は、前記外ガラス板と接触する反対側の面が下方に向かうに連れ前方に傾斜する傾斜面が形成されていることを特徴とする請求項１〜３の何れか１項に記載の加熱調理器。
【請求項５】
前記ハンドルのツマミ部は、中央部が高く両端に向かうに連れ低くなる円弧状に形成されていることを特徴とする請求項１〜４の何れか１項に記載の加熱調理器。
【請求項６】
前記ツマミ部の板厚の中心を通る中心線が前記ドアの下部の前記本体側寄りに設けられた回転軸の軸心を直交するように、前記ツマミ部の傾きの角度が設定されていることを特徴とする請求項１〜５の何れか１項に記載の加熱調理器。
【請求項７】
前記外ガラス板は、前記本体の加熱室の開口に対向するように配置され、
前記外ガラス板に隣接する部分に樹脂材で覆われた操作パネルを設けたことを特徴とする請求項１〜６の何れか１項に記載の加熱調理器。
【請求項８】
前記ハンドルの材料に金属素材を使用し、その金属表面を断熱材で覆ったことを特徴とする請求項１〜７の何れか１項に記載の加熱調理器。
【発明の詳細な説明】
【技術分野】
【０００１】
本発明は、縦開きのドアを備えた加熱調理器に関するものである。
【背景技術】
【０００２】
加熱調理器の縦開きのドアとして、ドアの前面を１枚のガラス板で覆うものがある。ドアの前面上部にはドア開閉用のハンドルがあり、そのハンドルを固定するために、ガラス板に取付け用の穴を開けて、その穴に挿入されたネジによって固定されている。
【先行技術文献】
【特許文献】
【０００３】
【特許文献１】特開２００８−２２４０８２号公報（第５頁、図９）
【発明の概要】
【発明が解決しようとする課題】
【０００４】
前述した従来の加熱調理器では、オーブン調理やグリル調理でのヒーター通電による熱で、ドア前面のガラス板に膨脹、収縮の熱衝撃が加わり、ハンドル固定用のガラスの穴からヒビや割れが発生する虞があった。
また、ドア前面のガラス板は、強化ガラスが使用されており、平面部は強度があるが、特に穴開け加工された穴の周縁部は、微細なカケ、ヒビ等が穴開け加工時に発生し、ネジの締付けによる応力割れや穴の周縁部への衝撃によりガラス割れに至る不具合が発生し易かった。
また、デザイン的にせっかくガラス板が前面を覆っていても、ガラス板にハンドルが取付けられており、スッキリしたデザインとなっていなかった。ガラス板に穴を開けないでドアのハンドルを取り付ける場合は、ドアの前面上部にハンドルを取り付け、そのハンドルの下方にガラス板を取り付ける構造のため、ガラス板を大きくすることができなかった。
【０００５】
本発明は、前記のような課題を解決するためになされたもので、ガラス板にハンドル取り付け用の穴を設けることなくハンドルを取り付けることのできる意匠性に優れた加熱調理器を提供することを目的とする。
【課題を解決するための手段】
【０００６】
本発明に係る加熱調理器は、前面開口の加熱室を有する本体と、本体の前部にその本体の下部に設けられた開閉機構部を介して開閉可能に取り付けられたドアと、ドア開閉用のハンドルとを備え、ドアは、少なくとも、骨格を成すドアフレームと、ドアフレームの周縁を覆う樹脂製のドアカバーと、前面部を成す外ガラス板とで構成され、ハンドルは、ドアカバーの上面にドアの幅方向に延びて設けられた板状の水平部と、水平部のドア前面側の端部に斜め上方に延びて設けられた板状のツマミ部と、ツマミ部の下部に水平部と直角をなして下方に延びて設けられた板状の垂下部と、水平部の下面に設けられ、ドアカバーの上面に設けられた穴を貫通してドアフレームに固定された板状の固定部とで構成されている。
【発明の効果】
【０００７】
本発明によれば、ドアのハンドルをドアフレームに固定しているので、ドアの前面を外ガラス板が覆う意匠性に優れたデザインにできる。また、ドアの外ガラス板にハンドル固定用の穴が不要となるため、穴加工による微細なカケ、ヒビ等の発生がなく、ハンドル固定時のネジ締め応力によるガラス割れもなく、オーブン調理やグリル調理でのヒーター通電による熱衝撃でのガラス割れの発生もなくなり、安全性が向上する。
また、外ガラス板への穴開け加工が不要となるので、穴加工費が省略でき、安価となる。さらに、ドアの前面の外ガラス板にハンドルが無いので、ドア開閉時に指が外ガラス板の高温部に接触するということがなくなり、火傷の危険性を防止できる。
【図面の簡単な説明】
【０００８】
【図１】実施の形態１に係る加熱調理器の斜視図である。
【図２】実施の形態１に係る加熱調理器のドアの上部を拡大して示す断面図である。
【図３】実施の形態１に係る加熱調理器のドアを示す断面図である。
【図４】実施の形態１の加熱調理器におけるドア開放の操作例を示す断面図である。
【図５】実施の形態２に係る加熱調理器のドアの上部を拡大して示す断面図である。
【図６】実施の形態３に係る加熱調理器の斜視図である。
【発明を実施するための形態】
【０００９】
実施の形態１．
以下、実施の形態１について図１乃至図４を参照して説明する。
図１は実施の形態１に係る加熱調理器の斜視図、図２は実施の形態１に係る加熱調理器のドアの上部を拡大して示す断面図、図３は実施の形態１に係る加熱調理器のドアを示す断面図、図４は実施の形態１の加熱調理器におけるドア開放の操作例を示す断面図である。
【００１０】
加熱調理器である例えばオーブンレンジ１００は、前面開口の加熱室２を有する矩形箱状の本体１と、本体１の下部に設けられたヒンジ（開閉機構部）に回転軸１７を介して回動自在に取り付けられ、加熱室２の前面開口を開閉するためのドア３とで構成されている。本体１には、加熱室２の奧の側板との間に加熱室２内の空気を攪拌・循環させるファン、加熱室２内を循環する空気を加熱するコンベクションヒーター等が設けられ、加熱室２の底板との間あるいは両側の何れか一方の側板との間に高周波を加熱室２内に照射する高周波発生装置が設けられている。
【００１１】
前述のドア３は、ドア３の骨格を成す鋼板製のドアフレーム４と、内ガラス板７と、チョークカバー９と、ドアカバー１０と、外ガラス板１１とが組み合わされて構成されている。ドアフレーム４の中央部には、加熱室２内を覗くためと高周波の電波漏れを防ぐための複数のパンチング穴５が施され、ドアフレーム４の周縁部には、コの字形に折り曲げられたチョーク構造６が施されている。そのチョーク構造６は、加熱室２内の調理物を高周波で加熱調理しているときに加熱室２とドア３の間から高周波の電波漏れを防ぐ役割をなしている。
【００１２】
内ガラス板７は、耐熱強化ガラスにより構成され、ドアフレーム４の加熱室２側の面に耐熱性のシリコン系接着剤８によって固定され、ドアフレーム４の中央部に施された複数のパンチング穴５を塞いでいる。チョークカバー９は、樹脂製によって構成された矩形状の枠体で、ドアフレーム４の周縁部に施されたチョーク構造６に加熱室２側から嵌合させて取り付けられている。
【００１３】
ドアカバー１０は、樹脂製によって構成された矩形状の枠体で、ドアフレーム４の外周部に加熱室２の反対側から嵌合し、ネジ１６によってドアフレーム４のチョーク構造６に固定されている。外ガラス板１１は、空気断熱と意匠性の機能向上としての耐熱強化ガラスが使用され、枠体のドアカバー１０にドアフレーム４と空間を有して取り付けられている。その外ガラス板１１の取付は、ドアカバー１０の下部に設けられた２個の固定具１２と、後述するハンドル２０の板状の垂下部２３とによって固定されている。
【００１４】
ドア３の加熱室２と対向しない右側の部分、つまり、加熱室２でオーブン調理やグリル調理を行っても温度上昇の低い部分の前面には、機器を操作する操作キー１３と、機器の動作状態を表示する表示部１４と、その操作部を覆う例えばポリカーボネート等の樹脂製の操作パネル１５とが設けられている。また、ドア３の右側の部分の内部には回路基板（図示せず）が設けられている。前述の操作パネル１５は、外ガラス板１１とは段差がない略同一高さ面となるように設定されている。
【００１５】
ドア３の上部には、樹脂製により構成されたハンドル２０が取り付けられている。そのハンドル２０は、ドア３の上部のドアカバー１０に空隙３０を有して設けられた板状の水平部２１と、水平部２１のドア前面側の端部に斜め上方に延びて設けられた板状のツマミ部２２と、ツマミ部２２の下部に水平部２１と直角をなして下方に延びて設けられた板状の垂下部２３と、水平部２１の下面に下方に延びて設けられ、ドアカバー１０にドア３の幅方向に延びて設けられた長方形状の穴１０ａに挿入されて固定された板状の固定部２４とで構成されている。その固定部２４は、ドアフレーム４のチョーク構造６とドアカバー１０の間に挿入され、ネジ１６によって狭持されて固定されている。垂下部２３は、外ガラス板１１の前面上部まで延びており、前述した固定具１２とで外ガラス板１１を固定している。
【００１６】
前述したツマミ部２２の背面２２ａの寸法Ａを２３ｍｍ、前面２２ｂの寸法Ｂを２２ｍｍとし、垂下部２３の寸法Ｃを２５ｍｍ水平部２１の奥行きの寸法Ｄを３３ｍｍ、水平部２１及びツマミ部２２の寸法Ｗを２３０ｍｍとしている。また、ツマミ部２２の板厚を６ｍｍ、水平部２１の板厚を３ｍｍ、垂下部２３の板厚を５ｍｍ、固定部２４の板厚を３ｍｍとしている。これらの寸法は、ドア３の開閉時に指が高温部に触れて火傷しないようにした寸法である。ドアカバー１０とハンドル２０の水平部２１の間の空隙３０は、例えば水平部２１の下面に設けられたリブ等で確保され、ドアカバー１０からの熱伝導を低減している。空隙３０の間隔は、例えば３ｍｍに設定されている。
【００１７】
ハンドル２０のツマミ部２２の傾きは、図３に示すように、ツマミ部２２の板厚の中心を通る中心線３１がドア３の下部の本体１側寄りに設けられた回転軸１７の軸心を直交するように設定されている。図４に示すように、ハンドル２０の斜め上方に延びたツマミ部２２を指で摘んでドア３を開ける際、その力の方向３２は、回転軸１７の軸心を直交するツマミ部２２の中心線３１に対して直角方向となる。
【００１８】
以上のように実施の形態１においては、ドア３の上部にハンドル２０を設け、ドア３の前面に取り付けられた外ガラス板１１をハンドル２０の垂下部２３とドア３の下部に設けられた２個の固定具１２とで固定するようにしている。これにより、外ガラス板１１の面にハンドル固定用の穴を開ける必要がなくなり、このため、穴加工による微細なカケ、ヒビ等の発生がなくなり、ハンドル固定時のネジ締め応力によるガラス割れもなくなっている。また、オーブン調理やグリル調理でのヒーター通電による熱衝撃で、ガラス割れの発生もなくなり、安全性が向上する。また、ガラス板への穴明け加工が不要となっているので、穴加工費が省略でき、安価となる。
【００１９】
また、ハンドル２０をドア３の枠体であるドアカバー１０の上部に取り付けているので、ドア３の前面を外ガラス板１１が覆うスッキリとしたデザインとなる。また、温度上昇の低いドア３の右側に操作キー１３や表示部１４を有する操作パネル１５を設け、その操作パネル１５を外ガラス板１１と段差のない同一高さ面としているので、使い易くデザイン性の良いオーブンレンジ１００を提供できる。
【００２０】
ハンドル２０の斜め上方に延びたツマミ部２２を指で摘んでドア３を開ける際、その力の方向３２が回転軸１７の軸心を直交するツマミ部２２の中心線３１に対し直角方向となるので、ドア３を開けるときの力が無駄なく有効に働いて容易にドアを開けることができ、ドア３の開閉の操作性が向上する。
【００２１】
加熱室２でオーブン調理やグリル調理をした時に、ハンドル２０の水平部２１とドアカバー１０との間に空隙３０を設けているので、空隙３０による空気断熱により水平部２１の温度上昇を低く抑えることができる。また、ツマミ部２２の垂下部２３がドア３の前面にある高温となる外ガラス板１１の上部を覆うので、ドア３の開閉を順手あるいは逆手のどちらで行っても指が高温部に触れることなく開閉することができ、安全である。
【００２２】
なお、前述したハンドル２０の各部の寸法は一例であって、ドア３の開閉時に指が高温部に触れない寸法であれば任意に設定してもよい。また、ハンドル２０は、樹脂製でなく金属素材を使用し、その金属表面を断熱材で覆ってもよい。
【００２３】
実施の形態２．
次に、図５を参照して実施の形態２について説明する。
図５は実施の形態２に係る加熱調理器のドアの上部を拡大して示す断面図である。なお、実施の形態２においては、ハンドル２０を除いて本体１とドア３の構成は実施の形態１と同様である。
ハンドル２０のツマミ部２２の背面２２ａには、ツマミ部２２の幅方向に延びる凹部２２ｃが設けられている。ツマミ部２２の垂下部２３は、外ガラス板１１と接触する反対側の面が下方に向かうに連れ前方に傾斜する傾斜面２３ａが形成されている。
【００２４】
実施の形態２においては、ドア３の開閉でツマミ部２２を指で摘んだ際に凹部２２ｃに指が収まり滑り難くなり、ドア３の開閉操作がし易くなる。また、ドア３の開閉でツマミ部２２を指で摘んだ際に垂下部２３の傾斜面２３ａに指が当たるので、高温となる外ガラス板１１に触れないストッパーとなり、安全にドア３を開閉することができる。
【００２５】
実施の形態３．
次に、図６を参照して実施の形態３について説明する。
図６は実施の形態３に係る加熱調理器の斜視図である。なお、実施の形態３においては、ハンドル２０を除いて本体１とドア３の構成は実施の形態１と同様である。
ハンドル４０のツマミ部４１は、中央部が高く両端に向かうに連れ低くなる円弧状に形成されている。
【００２６】
これにより、ハンドル４０を手前に引いてドア３を全開したときに、ハンドル４０の下方にオーブンレンジ１００の台面がある場合に、ドア３を開き切った状態からドアを閉めようとしたときに、ハンドル４０のツマミ部４１が円弧状になっているため、ツマミ部４１の両端側の隙間から指を挿入し易く、ドア３の開閉操作をスムーズに行うことができる。
【符号の説明】
【００２７】
１  本体、２  加熱室、３  ドア、４  ドアフレーム、５  パンチング穴、６  チョーク構造、７  内ガラス板、８  シリコン系接着剤、９  チョークカバー、１０  ドアカバー、１０ａ  穴、１１  外ガラス板、１２  固定具、１３  操作キー、１４  表示部、１５  操作パネル、１６  ネジ、１７  回転軸、２０  ハンドル、２１  水平部、２２  ツマミ部、２２ａ  背面、２２ｂ  前面、２２ｃ  凹部、２３  垂下部、２３ａ  傾斜面、２４  固定部、３０  空隙、３１  ツマミ部の中心線、３２  力の方向、４０  ハンドル、４１  ツマミ部、１００  オーブンレンジ、Ａ  背面の寸法、Ｂ  前面の寸法、Ｃ  垂下部の寸法、Ｄ  水平部の奥行きの寸法、Ｗ  水平部及びツマミ部の寸法。
【図１】
0005578985.tif 000002
【図２】
0005578985.tif 000003
【図３】
0005578985.tif 000004
【図４】
0005578985.tif 000005
【図５】
0005578985.tif 000006
【図６】
0005578985.tif 000007